(57)【要約】【課題】  ガラス板が熱くなるのを防止し、埋込み深さを浅くし、強いグレアを防止する。【解決手段】  地中に埋設される埋込型照明器具において、地表面に露出する透光板１を上面に備えた本体ボックス２を地中に埋設し、この本体ボックス２内部の透光板１の下方位置に反射板３を斜めに配設し、この反射板３の側方に反射板３を介して透光板１から地表へ光を投射するランプ４を設けた。【選択図】  図１
2005302325.tif 000002
【特許請求の範囲】
【請求項１】
地中に埋設される埋込型照明器具において、
地表面に露出する透光板を上面に備えた本体ボックスを地中に埋設し、
この本体ボックス内部の透光板下方位置に反射板を斜めに配設し、
この反射板の側方に反射板を介して透光板から地表へ光を投射するランプを設けたことを特徴とする埋込型照明器具。
【請求項２】
一端側の開口部が透光板側へシール性を保って取付くエルボー型反射板用の防水型収容筒と、この収容筒の他端側の開口部にシール性を保って取付く開口部を備えランプを収容した防水型ランプ収容筒とを有することを特徴とする請求項１に記載の埋込型照明器具。
【請求項３】
前記透光板をクリアガラスで形成するとともに、この透光板を本体ボックスの上面に設けた取付台に装着したことを特徴とする請求項１又は２に記載の埋込型照明器具。
【請求項４】
前記透光板の真下に若干の間隔をおいて拡散ガラス又はスプレットレンズを設置したことを特徴とする請求項１ないし３のいずれか１項に記載の埋込型照明器具。
【請求項５】
地中埋設深さが３００ｍｍ以下であることを特徴とする請求項１ないし４のいずれか１項に記載の埋込型照明器具。
【発明の詳細な説明】
【技術分野】
【０００１】
本発明は、公園、庭園、歩道、ビル屋上庭園などの屋外の地中に埋設して植栽、モニュメントなどを照明する埋込型照明器具に関する。
【背景技術】
【０００２】
従来の屋外用の埋込型照明器具は、ＨＩＤランプ（高輝度放電灯）を使用し、その装置内に反射セードと安定器を内蔵しており、例えば公園内の植栽を夜間照明する目的などで装置を地面と同一面まで埋設し、埋設面より植栽などの対象物に照明光が適切量で照射できるようにしていた。
【０００３】
従来の地中への埋込型照明器具では、地表面に露出したガラス板（透光板）の真下にランプを設けた構造であり、このランプにアルミニウム製の反射セードを取付け、ガラス板裏面には遮光ルーバーを設けてあった（特許文献１参照）。
【特許文献１】特開平１０−２５５５４０号公報（第５頁、図１）
【発明の開示】
【発明が解決しようとする課題】
【０００４】
ランプがガラス板の真下にある従来例では、ガラス板がランプの熱で熱くなるため（７０℃を超える）、ガラス板に人が手を触れて火傷などをしないように地面のガラス板上にガード部材を取付けるなどの手段が必要であった。また、ガラス板、反射セード、ランプが鉛直方向に縦一列に配置され、ランプとガラス板との間隔はある程度必要となるため、装置全体の地中埋設深さがどうしても４５０ｍｍ以上となるものが大半であり、３００ｍｍ以下というものはなかった。さらに、ガラス板から透過する光に歩行者などが強いグレアを感じるために遮光ルーバーを設けていた。
【０００５】
本発明は上記従来の欠点を解消するためになされたもので、ガラス板が熱くなるのを防止し、埋込み深さも浅くすることができ、強いグレアも防止できるようにした埋込型照明器具を提供することを目的とする。
【課題を解決するための手段】
【０００６】
上述の目的を達成するため、本発明は、地中に埋設される埋込型照明器具において、地表面に露出する透光板を上面に備えた本体ボックスを地中に埋設し、この本体ボックス内部の透光板下方位置に反射板を斜めに配設し、この反射板の側方に反射板を介して透光板から地表へ光を投射するランプを設けたものである。
【発明の効果】
【０００７】
本発明は、地中に埋設される埋込型照明器具において、地表面に露出する透光板を上面に備えた本体ボックスを地中に埋設し、この本体ボックス内部の透光板下方位置に反射板を斜めに配設し、この反射板の側方に反射板を介して透光板から地表へ光を投射するランプを設けたので、透光板とランプとの距離が十分にとれ、透光板が熱くなることがない。そのため、透光板の表面にガード部材を取付ける必要もなくなり、内部に遮光ルーバーを設ける必要もなくなる。また、反射板の材質を変えることにより狭角タイプと広角タイプの配向が簡単に行える。さらに、ランプ自体の光が直接地表へ照射されないので、遮光ルーバーを設けなくとも強いグレアを感じない。さらにまた、埋込み深さを浅くすることができ、ビルの屋上庭園などの地中へも設置可能であり、かつ埋込み深さが浅くなるために保管管理もし易い。
【発明を実施するための最良の形態】
【０００８】
以下に本発明の実施形態を図面を参照にして説明する。
【０００９】
図１は本発明の実施形態を示す半分断面にした斜視図であり、地表面に露出する透光板１を上面に備えた本体ボックス２を地中に埋設し、この本体ボックス２の内部の透光板１の下方に位置する部位に反射板３を斜めに配設してある。この反射板３の側方に反射板３を介して透光板１から地表へ光を投射するランプ４を設けてある。ランプ４としては高輝度なメタルハライドランプやハロゲンランプが使用される。このランプ４にはアルミニウム製の反射セード５を取付けてある。このランプ４から照射された光は反射板３で反射されて透光板１から地表へ投射できるようになっている。また、この実施形態では、透光板１の真下に若干の間隔をおいて拡散ガラス又はスプレットレンズ６を設置してある。図１に示すような位置に拡散ガラス（又はスプレットレンズ）６を設置することによりグレアが抑えられ、透光板１の表面温度の低温化にも役立つ。また、本体ボックス２の内部にはトランス７をトランスボックス７Ａ内に収容して設けてある。前記反射板３は、一端側の開口部８Ａが透光板１側へシール性を保って取付くエルボー型反射板用収容筒８に収めてある。この収容筒８の他端側の開口部８Ｂにシール性を保って取付く開口部９Ａを備えランプ４を収容したランプ収容筒９も設けられている。
【００１０】
上述した収容筒８，９は、アルミダイキャスト塗装仕上げとし、シール性を充分に保つように設計してある。収容筒８の開口部８Ａの直径は１４０ｍｍ、開口部８Ｂの直径は１２６ｍｍとし、全高は２１２ｍｍとした。また、収容筒９の開口部９Ａの直径は１２２ｍｍとし、全長は１６３．２６ｍｍとした。本体ボックス２自体は、ステンレス塗装仕上げの長方形状の横に長い形状のもの（２８０．５×４７３．５×２１０、単位ｍｍ）を使用した。また、前記透光板１はクリアガラスで形成するとともに、この透光板１を本体ボックス２の上面２Ａに設けた取付台１０に装着してある。上面２Ａは蓋部となり取外しが可能であり、取付台１０は、上面２Ａからの高さを低く抑えてある。取付台１０に収容筒８の開口部８Ａ側のフランジ部分が取付き、このフランジ部分上にシール材を介在させて透光板１がセットされ、カバーリング１０Ａを透光板１の上から取付けることにより透光板１が固定される。本体ボックス２の上面２Ａが蓋となり、当該蓋が取外せる構造になっているため、施工条件によっては蓋を外した状態で結線や送り配線の処理ができ、作業性も向上する。また図１上符号１１で示す孔は、配水管を接続する部分である。仮に、この孔１１から水の逆流現象があった場合であっても、トランスボックス７Ａや収容筒８，９は防水型の構造とすることにより、内部は水の浸入による弊害を防止している。
【００１１】
図２は中央縦断面を示し、埋設深さＤは、この実施形態においては２６０ｍｍとした。また、上面２Ａから透光板１の表面までの高さは５０ｍｍとした。反射板３としては電解研磨アルマイト仕上げのものを用いた。反射板３のタイプには広角タイプと狭角タイプとを用意し、用途に応じて付替えることができるようになっている。
【００１２】
図３及び図４はエルボー型の収容筒８を示し、上方と側方に開口部８Ａ，８Ｂを形成してあり、内部に反射板３を取付ける部材８Ｃが設けてある。この収容筒８の開口部８Ａの個所に形成された切込部８Ｄにパッキンなどのシール材を介して透光板１の周縁部がセットされる。また収容筒８の内部に形成された段部８Ｅには拡散ガラス又はスプレットレンズ６がセットされる。
【００１３】
図５及び図６はランプ４を収容する収容筒９を示し、底部にあけた孔９Ｂから配線コードなどを配線してランプ４に通電している。この収容筒９も先の収容筒８と同様に防水型であり、開口部同士の接合もシール性を保って接合される。従って、透光板１から反射板３及びランプ４を収容したスペースはシール性が高く防水、防塵性能に優れるものとなる。従って、本体ボックス２内へ浸水しても、収容筒８，９内は防水構造であり、浸水することはない。また、トランスボックス７Ａも防水型であり、トランス７も浸水が防止される。
【図面の簡単な説明】
【００１４】
【図１】この発明の好適な実施形態を示す半断面の斜視図。
【図２】中央縦断面図。
【図３】反射板収容用の収容筒の斜視図。
【図４】図３の断面図。
【図５】ランプ収容用の収容筒を示す斜視図。
【図６】図５の断面図。
【符号の説明】
【００１５】
１    透光板
２    本体ボックス
２Ａ  上面
３    反射板
４    ランプ
【図１】
2005302325.tif 000003
【図２】
2005302325.tif 000004
【図３】
2005302325.tif 000005
【図４】
2005302325.tif 000006
【図５】
2005302325.tif 000007
【図６】
2005302325.tif 000008